(57)【要約】【課題】カーポート等の簡易建物に用いる従来の一体型の屋根体は、土地の形状や周囲の環境によって設置が困難になりやすいという問題点があった。【解決手段】一方向に配列した複数枚のパネルユニットＰＵを備え、各パネルユニットＰＵが、矩形状を成すと共に、少なくとも一枚のパネルユニットＰＵの配列方向に交差する方向の長さが短い屋根体３としたことにより、土地の形状や周囲の環境などに合わせて形態を自在に設定することを可能にし、バリエーションの増加などを実現した。【選択図】図１
2010222955.tif 000002
【特許請求の範囲】
【請求項１】
一方向に配列した複数枚のパネルユニットを備え、各パネルユニットが、矩形状を成すと共に、少なくとも一枚のパネルユニットの配列方向に交差する方向の長さが短いことを特徴とする屋根体。
【請求項２】
パネルユニット同士の接合部に、その長手方向にわたって目隠しカバーを下側から装着したことを特徴とする請求項１に記載の屋根体。
【請求項３】
支柱と、支柱により支持した屋根体を備え、屋根体が、奥行方向に配列した複数枚のパネルユニットで構成してあり、
各パネルユニットが、矩形状を成すと共に、少なくとも一枚のパネルユニットの間口方向の長さが短いことを特徴とする簡易建物。
【請求項４】
奥行方向に配列した複数の支柱と、各支柱に夫々の一端部を連結した梁と、長手方向を奥行方向として各梁の下側に所定間隔で連結した複数の野縁と、支柱間に架設した桁と、奥行方向に配列した複数枚の矩形状パネルユニットを備え、
各パネルユニットを野縁に下方から取り付けてあることを特徴とする簡易建物。
【請求項５】
パネルユニット同士の接合部に、その長手方向にわたって目隠しカバーを下側から装着したことを特徴とする請求項３又は４に記載の簡易建物。
【請求項６】
各パネルユニットが、桁側の端部に、桁に対してその長手方向に沿う軸線回りに回動可能に係止する回動係止部を有しており、少なくとも垂直姿勢から野縁への連結姿勢に至る範囲で回動可能であることを特徴とする請求項４又は５に記載の簡易建物。
【請求項７】
各パネルユニットが、桁側に下り勾配を成しており、
各目隠しカバーの内側に設けた排水路と桁の内側に設けた排水路とで排水経路を構成したことを特徴とする請求項５又は６に記載の簡易建物。
【発明の詳細な説明】
【技術分野】
【０００１】
本発明は、カーポートなどの簡易建物に用いられる屋根体及びその屋根体を用いた簡易建物の改良に関するものである。
【背景技術】
【０００２】
一般的に、住宅等に設置するカーポートとしては、例えば特許文献１に記載されているように、一体型の屋根体の片側を支柱で片持ち支持したものや、屋根体の両側を支柱で支持したものがあり、さらに、屋根体の一方側を支柱で支持すると共に、屋根体の他方側を建物の壁部等で支持したものなどがある。この種のカーポートでは、奥行寸法及び間口寸法の異なる複数種の屋根体を用意し、例えば自動車の大きさなどに応じて屋根体の種類や支持方法を選択するようにしていた。
【先行技術文献】
【特許文献】
【０００３】
【特許文献１】特開２００８−５７２３３号公報
【発明の概要】
【発明が解決しようとする課題】
【０００４】
ところで、とくに都市部の住宅地などでは、駐車スペースが狭いうえに、駐車スペースの近傍に建築物や樹木などが存在するケースが少なくない。このため、一体型の屋根体を備えた従来のカーポートにあっては、土地の形状や周囲の環境によって設置が困難になりやすいという問題点があり、このような問題点を解決することが課題であった。
【０００５】
本発明は、上記従来の問題点に着目して成されたもので、土地の形状や周囲の環境などに合わせて形態を設定することができ、バリエーションの増加を実現することができる屋根体及びその屋根体を用いた簡易建物を提供することを目的としている。
【課題を解決するための手段】
【０００６】
本発明の屋根体は、請求項１として、一方向に配列した複数枚のパネルユニットを備え、各パネルユニットが、矩形状を成すと共に、少なくとも一枚のパネルユニットの配列方向に交差する方向の長さが短い構成とし、請求項２として、パネルユニット同士の接合部に、その長手方向にわたって目隠しカバーを下側から装着した構成としており、上記構成をもって従来の課題を解決するための手段としている。
【０００７】
本発明の簡易建物は、請求項３として、支柱と、支柱により支持した屋根体を備え、屋根体が、奥行方向に配列した複数枚のパネルユニットで構成してあり、各パネルユニットが、矩形状を成すと共に、少なくとも一枚のパネルユニットの間口方向の長さが短い構成とし、請求項４として、奥行方向に配列した複数の支柱と、各支柱に夫々の一端部を連結した梁と、長手方向を奥行方向として各梁の下側に所定間隔で連結した複数の野縁と、支柱間に架設した桁と、奥行方向に配列した複数枚の矩形状パネルユニットを備え、各パネルユニットを野縁に下方から取り付けてある構成としており、上記構成をもって従来の課題を解決するための手段としている。なお、上記構成では、簡易建物が例えばカーポートである場合、奥行方向とは自動車が出入りする方向であり、間口方向とは出入り口の幅方向である。
【０００８】
また、本発明の簡易建物は、請求項５として、パネルユニット同士の接合部に、その長手方向にわたって目隠しカバーを下側から装着したことを特徴とし、請求項６として、各パネルユニットが、桁側の端部に、桁に対してその長手方向に沿う軸線回りに回動可能に係止する回動係止部を有しており、少なくとも垂直姿勢から野縁への連結姿勢に至る範囲で回動可能であることを特徴とし、請求項７として、各パネルユニットが、桁側に下り勾配を成しており、各目隠しカバーの内側に設けた排水路と桁の内側に設けた排水路とで排水経路を構成したことを特徴としている。
【発明の効果】
【０００９】
本発明の請求項１に係わる屋根体によれば、パネルユニットの配列方向の枚数を選択することや、配列方向に交差する方向におけるパネルユニットの長さを選択することが可能になるので、土地の形状や周囲の環境などに合わせて形態を自由に設定することができ、バリエーションの増加を実現することができると共に、カーポート、サイクルポート及び通路等に設置する各種簡易建物の屋根に適用することができる。
【００１０】
本発明の請求項２に係わる屋根体によれば、請求項１と同等の効果を得ることができるうえに、目隠しカバーの採用により、外観体裁が良好になるうえに、複数枚のパネルユニットから成る屋根体でありながら雨漏りを確実に阻止することができる。
【００１１】
本発明の請求項３に係わる簡易建物によれば、奥行方向におけるパネルユニットの枚数を選択することや、間口方向におけるパネルユニットの長さを選択することが可能になるので、土地の形状や周囲の環境などに合わせて屋根体の形態を自由に設定することができ、バリエーションの増加を実現することができる。
【００１２】
本発明の請求項４に係わる簡易建物によれば、奥行方向におけるパネルユニットの枚数を選択することや、間口方向におけるパネルユニットの長さを選択することが可能になるので、複数のパネルユニットから成る屋根体の形態を土地の形状や周囲の環境などに合わせて自由に設定することができ、バリエーションの増加を実現することができる。また、組み立て作業の殆どを前記屋根体の大きさの範囲内で行うことができ、狭小地での施工に極めて有用なものとなる。
【００１３】
本発明の請求項５に係わる簡易建物によれば、請求項３及び４と同等の効果を得ることができるうえに、目隠しカバーの採用により、外観体裁が良好になるうえに、複数枚のパネルユニットから成る屋根体としながら雨漏りを確実に阻止することができる。
【００１４】
本発明の請求項６に係わる簡易建物によれば、請求項４及び５と同等の効果を得ることができるうえに、少ない人員でパネルユニットの取り付けを容易に行うことができ、施工費用の低減や施工時間の短縮などに貢献することができる。
【００１５】
本発明の請求項７に係わる簡易建物によれば、請求項５及び６と同等の効果を得ることができるうえに、屋根体上に降った雨水やパネルユニット同士の間に浸入した雨水を集中的に排出することができ、複数枚のパネルユニットから成る屋根体でありながら雨漏りを確実に阻止して、雨水に対する充分な排水機能を得ることができる。
【図面の簡単な説明】
【００１６】
【図１】本発明の屋根体及び簡易建物の一実施形態であるカーポートを説明する斜視図である。
【図２】図１の屋根体を構成するパネルユニットの平面図（ａ）、図ａ中のＡ−Ａ線に基づく断面図（ｂ）、及び図ａ中のＢ−Ｂ線に基づく断面図（ｃ）である。
【図３】支柱と梁の連結部分を拡大した断面図である。
【図４】パネルユニットの取り付け要領を示す断面図である。
【図５】パネルユニット同士の接合部を示す断面図である。
【図６】パネルユニットの先端部を示す断面図である。
【図７】図１に示すカーポートの組み立て要領を示す各々斜視図（ａ）〜（ｄ）である。
【図８】野縁に対するパネルユニットの取り付け要領を示す各々斜視図（ａ）〜（ｃ）である。
【図９】本発明の屋根体及び簡易建物の他の実施形態であるカーポートを説明する斜視図である。
【図１０】図１に示すカーポートにおける梁の中間部の垂直断面図である。
【発明を実施するための形態】
【００１７】
図１は、本発明に係わる簡易建物の一実施形態としてのカーポートを示す図である。
図示のカーポート１は、支柱２と、支柱２により支持する屋根体３を備えている。屋根体３は、一方向（奥行方向）に配列した複数枚のパネルユニットＰＵで構成してあり、各パネルユニットＰＵのうちの少なくとも一枚のパネルユニットＰＵの配列方向に交差する方向（間口方向）の長さが短いものとなっている。なお、カーポート１の奥行方向とは、自動車の出入り方向（図中Ｘ方向）であり、間口方向とは、出入り口の幅方向（図中Ｙ方向）である。
【００１８】
より具体的には、図示例のカーポート１は、奥行方向に配列した二本の支柱２，２で屋根体３を片持ち支持したものであって、長手方向を間口方向として各支柱２，２に夫々の一端部を連結した４，４梁と、長手方向を奥行方向として各梁４の下側に所定間隔で連結した複数の野縁５と、長手方向を奥行方向として両支柱２，２に架設した桁６を備えている。
【００１９】
そして、図示例のカーポート１の屋根体３は、複数枚のパネルユニットＰＵのうちの半分以上のパネルユニットＰＵが短いものとなっている。このようなパネルユニットＰＵの組み合わせは、土地の形状や周囲の環境などに応じて選択する。
【００２０】
パネルユニットＰＵは、図２（ａ）に示すように、間口方向に細長い矩形状を成していて、矩形状のパネルＰと、その周囲を保持する四本のパネル枠を備えている。ここで、当該カーポート１では、屋根体３が支柱側２側に緩やかな下り勾配を成しているので、勾配の上位側のパネル枠を上部パネル枠７Ａとし、勾配の下位側（桁６側）のパネル枠を下部パネル枠７Ｂとし、両側のパネル枠を側部パネル枠７Ｃ，７Ｃとしている。
【００２１】
上部パネル枠７Ａは、図２（ｃ）に断面を示すように、当該パネルユニットＰＵの切断に伴う着脱作業に容易に対処するために、非常に簡素なものになっていて、パネルＰの下面を受ける状態にして、側部パネル枠７Ｃ，７Ｃの上位側の端部にねじ止めする。
【００２２】
下部パネル枠７Ｂは、同じく図２（ｃ）に断面を示すように、下方向（カーポートを構成した状態で下方向）に突出する支持片８を介して断面円形の回動係止部９を備え、側部パネル枠７Ｃ，７Ｃの下位側の端部にねじ止めする。支持片８及び回動係止部９は、下部パネル枠７Ｂの長手方向にわたって設けてある。
【００２３】
側部パネル枠７Ｃは、図２（ｂ）に断面を示すように、パネルＰの側端部を保持するシール材１０と、下方向に突出した一対の係合突片１１，１１を並列に備えている。両側の側部パネル枠７Ｃは、同じ断面構造を有しており、パネルユニット断面においてシール材１０及び係合突片１１，１１が対称位置に現われる。
【００２４】
そして、パネルユニットＰＵは、間口方向の長さを短くするには、パネルＰ及び側部パネル枠７Ｃを所定長さに切断してから、パネルＰ及び各パネル枠７Ａ〜７Ｃを組み立てれば良く、共通の部品を使用することができる。
【００２５】
各野縁５は、梁４の長手方向に対して、所定間隔で互いに平行に配置してあり、夫々の吊り材１２を介して梁４の下側に連結してある。また、当該カーポート１では、梁４がほぼ水平であるのに対して、先述の如く屋根体３が支柱２側に下り勾配を成しているので、梁４の基端側（支柱２側）から先端側に向けて、吊り材１２の長さが次第に短くなっている。
【００２６】
桁６は、図３に示すように、支柱２にブラケット１３を介して固定してあって、その内側に、上方に開放した溝状の排水路６ａと、排水路６ａの反支柱側に連続する空洞部６ｂを有し、さらに、空洞部６ｂの上部に、パネルユニットＰＵの下部パネル枠７Ｂの回動係止部９に対応する回動受け部６ｃを有している。
【００２７】
これにより、回動係止部９を有するパネルユニットＰＵは、桁６の回動受け部６ｃに対して、桁６の長手方向に沿う軸線回りに回動可能に係止することとなり、少なくとも垂直姿勢から野縁５への連結姿勢に至る範囲で回動可能である。
【００２８】
すなわち、パネルユニットＰＵは、当該カーポート１を組み立る際には、図４中に実線で示すように、桁６の回動受け部６ｃに回動係止部９を係止した状態にし、次いで、下端部を持ち上げて、図４中に仮想線で示すように水平状態にする。その後、パネルユニットＰＵは、側部パネル枠７Ｃを下方から貫通するねじによって各野縁５の下側に固定する。
【００２９】
また、上記の如く各パネルユニットＰＵを固定した後には、図５に示すように、パネルユニット同士の接合部に、その長手方向にわたって、隣接する両方の側部パネル枠７Ｃ，７Ｃに跨る目隠しカバー１４を下側から装着する。
【００３０】
目隠しカバー１４は、両方の側部パネル枠７Ｃ，７Ｃの下側全体を覆う形状を成すと共に、その内側に、いずれか一方の側部パネル枠７Ｃの係合突片１１，１１に弾性的に係合する係止突片１４ａ，１４ａと、両方の側部パネル枠７Ｃ，７Ｃの間に浸入した水を排出するための排水路１４ｂを有している。係止突片１４ａ及び排水路１４ｂは、目隠しカバー１４の長手方向にわたって設けてあり、とくに排水路１４ｂは、桁６側の端部で開放してある。
【００３１】
これにより、当該カーポート１では、目隠しカバー１４の内側に設けた排水路１４ｂと桁６の内側に設けた排水路６ａとで屋根体３の排水経路を構成している。
【００３２】
また、屋根体３の奥行方向の端部においては、図５に示すように、パネルユニットＰＵの側部パネル枠７Ｃに対して、下側から端部用目隠しカバー１５を装着すると共に、横側から側部屋根枠１６を被着して外観体裁を良好なものにしている。この側部屋根枠１６は、長さが異なるパネルユニットＰＵ同士の段差部分にも設けてある。
【００３３】
さらに、屋根体３の勾配の上位側の端部においては、図６に示すように、上部屋根枠１７を被着して外観体裁を良好なものにしている。なお、側部屋根枠１６と上部屋根枠１７との間には、図示しないコーナー部材を設けて各屋根枠１６，１７を一体化することにより、外観体裁や機械的強度を高めている。
【００３４】
ここで、図７及び図８に基づいて、カーポート１の組み立て要領を説明する。
まず、図７（ａ）に示すように、支柱２，２を立設すると共に、各支柱２に梁４の一端部を連結する。また、梁４の下側に各吊り材１２の上端部を連結してから、各吊り材１２の下端部に各野縁５を連結する。なお、各吊り材１２の下端部に野縁５を連結してから、各吊り材１２の上端部を梁４の下側に連結しても良い。さらに、両支柱２，２に桁６を架設する。
【００３５】
次に、図７（ｂ）に示すように、各パネルユニットＰＵを組み立てる。すなわちパネルＰ及び側部パネル枠７Ｃ，Ｃの長さ調整をして、パネルＰ及び各パネル枠７Ａ〜７Ｃを組み立てる。そして、図７（ｃ）及び先に説明した図４に示すように、桁６の回動受け部６ｃにパネルユニットＰＵの回動係止部９を係止した後、パネルユニットＰＵの下端部を持ち上げて回動させ、同パネルユニットＰＵを野縁５の下面に連結する。
【００３６】
上記のパネルユニットＰＵの連結作業では、図８（ａ）（ｂ）に示すようなフックＨの使用がより効果的である。つまり、パネルユニットＰＵの取り付けに際して、図８（ａ）に示すように、梁４の張り出し先端側の野縁５に一対のフックＨ，Ｈを掛止しておき、次いで、図８（ｂ）に示すように、桁６に係止してから上方に回動させたパネルユニットＰＵをフックＨ，Ｈに掛止する。
【００３７】
そして、図８（ｃ）に示すように、パネルユニットＰＵの側部パネル枠７Ｃに貫通させたねじ２０で同パネルユニットＰＵを野縁５に連結する。その後、フックＨを取り外す。この際、梁４の張り出し先端側の野縁５においては、予めボルトを植設し、このボルトでパネルユニットＰＵを位置決めしてからナットで固定するようにしても良い。
【００３８】
上記の要領で各パネルユニットＰＵを連結して屋根体３を構成した後には、図７（ｄ）及び先に説明した図５及び図６に示すように、目隠しカバー１４、端部用目隠しカバー１５、側部屋根枠１６及び上部屋根枠１７を装着する。
【００３９】
上記実施形態の屋根体３は、一方向に配列した複数枚のパネルユニットＰＵで構成すると共に、各パネルユニットＰＵのうちの少なくとも一枚のパネルユニットＰＵの間口方向の長さが短いものであるから、パネルユニットの配列方向の枚数を選択することや、配列方向に交差する方向におけるパネルユニットの長さを選択することが可能になる。
【００４０】
これにより、屋根体３は、土地の形状や周囲の環境などに合わせて形態を自由に設定することができ、バリエーションの増加を実現することができると共に、カーポート、サイクルポート及び通路等に設置する各種簡易建物の屋根に適用することができる。また、屋根体３は、目隠しカバー１４の採用により、外観体裁が良好であって、複数枚のパネルユニットＰＵから成るものでありながら雨漏りを確実に阻止し得る。
【００４１】
さらに、上記の屋根体３を備えたカーポート１は、駐車スペースの形状、建築物や樹木などの周囲の環境、駐車及びそれ以外の使用目的などに応じて、屋根体３の形態を自由に設定することができ、バリエーションに非常に富んだものとなる。
【００４２】
さらに、上記実施形態のカーポート１は、複数のパネルユニットＰＵから成る屋根体３に加えて、少なくとも二本の支柱２、梁４、野縁５及び桁６等で構成したことで、組み立て作業の殆どを屋根体の大きさの範囲内で行うことができ、狭小地での施工に極めて有用なものとなる。つまり、必要に応じて脚立等を使用して、野縁５に対して各パネルユニットＰＵを下方から取り付けるので、隣接地に足場などを設置する必要がなく、周囲に迷惑をかける心配が無い。
【００４３】
さらに、上記実施形態のカーポート１は、パネルユニットＰＵ同士の接合部に目隠しカバー１４を装着すると共に、目隠しカバー１４の排水路１４ｂと桁６の排水路６ａとで排水経路を構成しているので、外観体裁が良好であって、複数枚のパネルユニットＰＵから成る屋根体３でありながら雨漏りを確実に阻止して、雨水に対する充分な排水機能を得ることができる。なお、桁６の排水路６ａに流入した雨水は、周知の竪樋を通して地面側に排出する。
【００４４】
さらに、上記実施形態のカーポート１は、各パネルユニットＰＵが、桁６に対してその長手方向に沿う軸線回りに回動可能に係止する構成になっているので、先述したように
狭小地での施工に極めて有用であるうえに、少ない人員でパネルユニットＰＵの取り付けを容易に行うことができ、施工費用の節減や施工時間の短縮などを実現する。また、パネルユニットＰＵの取り付けに際して、野縁５に掛止するフックＨを用いれば、一人の作業者であってもパネルユニットＰＵを容易に取り付けること充分に可能であり、施工費用や施工時間のさらなる節減に貢献することができる。
【００４５】
図９は、本発明に係わる簡易建物の他の実施形態としてのカーポートを説明する図である。先の実施形態では、屋根体を吊り下げ状態に保持する構造であったのに対して、この実施形態では、屋根体を下側から保持する構造になっている。なお、先の実施形態と共通する構成部位は、同一符号を付して詳細な説明を省略する。
【００４６】
図示のカーポート１は、支柱２と、支柱２により支持する屋根体３を備えている。屋根体３は、一方向（奥行方向：Ｘ方向）に配列した複数枚のパネルユニットＰＵで構成してあり、各パネルユニットＰＵのうちの少なくとも一枚のパネルユニットＰＵの配列方向に交差する方向（間口方向：Ｙ方向）の長さが短いものとなっている。
【００４７】
より具体的には、図示例のカーポート１は、奥行方向に配列した二本の支柱２，２で屋根体３を片持ち支持したものであって、長手方向を間口方向として各支柱２，２に夫々の一端部を連結した４，４梁と、長手方向を奥行方向として各梁４の上側に所定間隔で連結した複数の野縁５と、長手方向を奥行方向として両支柱２，２に架設した桁６を備え、各野縁５の上側に屋根体３が設けてある。
【００４８】
そして、図示例のカーポート１の屋根体３は、複数枚のパネルユニットＰＵのうちの半分以上のパネルユニットＰＵが短いものであると共に、排水性を確保するために支柱側２側に緩やかな下り勾配を成している。各パネルユニットＰＵは、先の実施形態で説明したもの（図２参照）と同等であって、共通の部品から成ると共に、切断に容易に対処し得るように簡素な構造を有している。
【００４９】
各野縁５は、梁４の長手方向に対して、所定間隔で互いに平行に配置してあり、図１０にも示すように、支持材２２を介して梁４の上側に連結してある。また、当該カーポート１では、梁４がほぼ水平であるのに対して、先述の如く屋根体３が支柱２側に下り勾配を成しているので、梁４の基端側（支柱２側）から先端側に向けて、支持材２２の長さが次第に短くなっている。
【００５０】
屋根体３を構成するパネルユニットＰＵは、野縁５の上側に載置して固定した後、隣接するパネルユニット同士の接合部に、その長手方向にわたって、目隠しカバー１４を上側から装着する。すなわち、この実施形態では、野縁５の上側にパネルユニットＰＵを設けているので、上側から装着した目隠しカバー１４により、外観体裁を良好にすると共に、複数枚のパネルユニットＰＵから成る屋根体３でありながら雨漏りを確実に阻止する構造になっている。
【００５１】
上記実施形態の屋根体３は、先の実施形態と同様に、パネルユニットＰＵの配列方向の枚数を選択することや、配列方向に交差する方向におけるパネルユニットＰＵの長さを選択することが可能であり、土地の形状や周囲の環境などに合わせて形態を自由に設定することができ、バリエーションの増加を実現することができる。
【００５２】
また、上記の屋根体３を備えたカーポート１は、先の実施形態と同様に、駐車スペースの形状、建築物や樹木などの周囲の環境、駐車及びそれ以外の使用目的などに応じて、屋根体３の形態を自由に設定することができ、バリエーションに非常に富んだものとなる。
【００５３】
なお、本発明の屋根体及び簡易建物は、その構成が上記実施形態のみに限定されるものではなく、各構成部材の数や形状などを適宜変更することができる。また、簡易建物は、上記実施形態のように屋根体を片持ち支持した構造だけではなく、屋根体を両側を支柱で支持する構造や、屋根体の一方側を支柱で支持し且つ他方側を建築物の壁部等で支持する構造であっても良い。
【００５４】
さらに、上記実施形態の屋根体及び簡易建物では、パネルユニット配列方向に交差する方向である間口方向の長さが異なる二種類のパネルユニットを例示したが、二種類以上のパネルユニットを備えた構成でも良い。さらに、屋根体及び簡易建物は、カーポートのほか、サイクルポートや通路の屋根といった各種簡易建物に適用することができる。
【符号の説明】
【００５５】
１      カーポート（簡易建物）
２      支柱
３      屋根体
４      梁
５      野縁
６      桁
６ａ    桁の排水路
９      回動係止部
１４    目隠しカバー
１４ｂ  目隠しカバーの排水路
ＰＵ    パネルユニット
【図１】
2010222955.tif 000003
【図２】
2010222955.tif 000004
【図３】
2010222955.tif 000005
【図４】
2010222955.tif 000006
【図５】
2010222955.tif 000007
【図６】
2010222955.tif 000008
【図７】
2010222955.tif 000009
【図８】
2010222955.tif 000010
【図９】
2010222955.tif 000011
【図１０】
2010222955.tif 000012